(57)【要約】【課題】歩行困難な老人または障害者等の使用者の排泄を容易にするのに有利なポータブルトイレを提供する。【解決手段】ポータブルトイレは、使用者が着座する着座部１と、使用者の排泄物を受ける排泄物容器３と、着座部１及び排泄物容器３を有する基体４とを備える。基体４は、着座部１に着座している使用者が前かがみ姿勢となったときにおいて使用者の前かがみ姿勢を支える前かがみ姿勢支持部１００を備える。【選択図】  図２
2006122662.tif 000002
【特許請求の範囲】
【請求項１】
使用者が着座する着座部と、使用者の排泄物を受ける排泄物容器と、前記着座部及び前記排泄物容器を有する基体とを具備するポータブルトイレにおいて、
前記基体は、前記着座部に着座して排泄している使用者の前かがみ姿勢を支える前かがみ姿勢支持部を備えていることを特徴とするポータブルトイレ。
【請求項２】
請求項１において、前記前かがみ姿勢支持部は、前記着座部に着座している使用者が前かがみ姿勢となったときにおいて使用者の前かがみ姿勢を支える使用位置と、前記使用位置に対して退避している退避位置とに変更可能に設定されていることを特徴とするポータブルトイレ。
【請求項３】
請求項１または請求項２において、前記基体は、前記着座部に着座している使用者の左腕部を支える第１アームレスト部と、前記着座部に着座している使用者の右腕部を支える第２アームレスト部とを備えており、
前記前かがみ姿勢支持部は、前記第１アームレスト部の前部と前記第２アームレスト部の前部との間に架設可能とされていることを特徴とするポータブルトイレ。
【請求項４】
請求項３において、前記前かがみ姿勢支持部は、前記第１アームレスト部及び前記第２アームレスト部のうちの少なくとも一方に揺動可能に前記枢支具により枢支されていることを特徴とするポータブルトイレ。
【請求項５】
請求項１〜請求項４のうちのいずれか一項において、前記前かがみ姿勢支持部はその長手方向に伸縮可能とされていることを特徴とするポータブルトイレ。
【請求項６】
請求項１〜請求項５のうちのいずれか一項において、前記前かがみ姿勢支持部は前記基体に対して分離可能とされていることを特徴とするポータブルトイレ。
【請求項７】
請求項１〜請求項６のうちのいずれか一項において、前記前かがみ姿勢支持部は凹または凸からなる第１係合部を有し、前記基体は凸または凹からなる第２係合部を有しており、前記第１係合部及び前記第２係合部は互いに係合可能とされていることを特徴とするポータブルトイレ。
【請求項８】
請求項１〜請求項７のうちのいずれか一項において、前記前かがみ姿勢支持部は、前記第１アームレスト部に揺動可能に第１枢支具により枢支された第１分割部と、前記第２アームレスト部に揺動可能に第２枢支具により枢支された第２分割部とで形成されており、前記前かがみ姿勢支持部が使用されるとき、前記第１分割部の端部及び前記第２分割部の端部は互いに重なるか、突き合わせ状態に維持されることを特徴とするポータブルトイレ。
【請求項９】
請求項１〜請求項８のうちのいずれか一項において、使用者の局部を洗浄する局部洗浄部と、前記排泄物容器を洗浄する排泄物容器洗浄部と、前記局部洗浄部及び前記排泄物容器洗浄部に給水する水タンクとが前記基体に設けられていることを特徴とするポータブルトイレ。
【請求項１０】
使用者が着座する着座部と、使用者の排泄物を受ける排泄物容器と、前記着座部及び前記排泄物容器を有する基体とを具備するポータブルトイレにおいて、
前記基体は、前記着座部に着座している使用者の腕部を支えるアームレスト部と、前記アームレスト部の前部に繋がると共に縦方向に沿って設けられた前支柱と、前記基体の前部側に設けられた前脚部と、前記基体の後部側に設けられた後脚部とを備えており、前記前脚部は、前記前支柱の延設方向に沿って配置されていることを特徴とするポータブルトイレ。
【請求項１１】
請求項１０において、前記排泄物容器を保持すると共に前端部に引き出し操作部をもつスライド部材が前記基体に引き出し可能に設けられており、前記前脚部は、ポータブルトイレの前後方向において前記スライド部材の前記引き出し操作部よりも後方に退避していることを特徴とするポータブルトイレ。
【請求項１２】
使用者が着座する着座部と、使用者の排泄物を受ける排泄物容器と、前記着座部及び前記排泄物容器を有する基体とを具備するポータブルトイレにおいて、
前記基体は、前記着座部に着座している使用者の腕部を支えるアームレスト部と、前記アームレスト部の前部に繋がると共に縦方向に沿って設けられた前支柱と、前記基体の前部側に設けられた前脚部と、前記基体の後部側に設けられた後脚部とを備えており、更に、
前記排泄物容器を保持すると共に前端部に引き出し操作部をもつスライド部材が前記基体に引き出し可能に設けられており、
前記前脚部は、ポータブルトイレの前後方向において前記スライド部材の前記引き出し操作部よりも後方に退避していることを特徴とするポータブルトイレ。
【請求項１３】
請求項１０〜１２のうちのいずれか一項において、前記基体は、前記着座部に着座して排泄している使用者の前かがみ姿勢を支える前かがみ姿勢支持部を備えていることを特徴とするポータブルトイレ。
【請求項１４】
請求項１０〜１３のうちのいずれか一項において、前記前かがみ姿勢支持部は、前記着座部に着座している使用者が前かがみ姿勢となったときにおいて使用者の前かがみ姿勢を支える使用位置と、前記使用位置に対して退避している退避位置とに変更可能に設定されていることを特徴とするポータブルトイレ。
【請求項１５】
請求項１０〜１４のうちのいずれか一項において、使用者の局部を洗浄する局部洗浄部と、前記排泄物容器を洗浄する排泄物容器洗浄部と、前記局部洗浄部及び前記排泄物容器洗浄部に給水する水タンクとが前記基体に設けられていることを特徴とするポータブルトイレ。
【発明の詳細な説明】
【技術分野】
【０００１】
本発明は使用者が着座して排泄するポータブルトイレに関する。
【背景技術】
【０００２】
特許文献１及び特許文献２には、使用者が着座する着座部と、使用者の排泄物を受ける排泄物容器と、着座部及び排泄物容器を有する基体とを備えるポータブルトイレが開示されている。排泄物容器は、使用者から排出された排泄物等の排泄物を受けるものである。このものによれば、着座部に着座している使用者の尻部の排泄後の局部を洗浄する局部洗浄ノズルが使用者の局部に対面可能となるように基体に据え付けられている。また特許文献３には、着座部、前脚部、後脚部、背もたれ部をもつ支柱付き椅子が開示されており、更に、この椅子はポータブルトイレに適用できる旨が開示されている。
【特許文献１】特開２００２−７８６４０号公報
【特許文献２】特開２００２−８５２９０号公報
【特許文献３】特開平１１−１９７１８７号公報
【発明の開示】
【発明が解決しようとする課題】
【０００３】
上記した特許文献１，２に係るポータブルトイレは、歩行困難な老人、障害者、病人等が使用する場合が多い。このような使用者は便秘気味であることが多く、排泄に要する時間が長いのが一般的である。しかしこれらの使用者は腰部の筋肉が弱いため、ポータブルトイレの着座部に長時間着座できないことが多い。そこで背もたれ部に寄りかかって着座姿勢を保持する必要があるが、背もたれ部に寄りかかると、排泄の際にりきむことができない。この場合、歩行困難な老人、障害者、病人等の使用者の排泄の支障となり易い。また、上記した特許文献３に係る椅子をポータブルトイレに適用する場合には、前脚部が着座部の先端に取り付けられているため、着座部に着座しようとする使用者の脚、着座部に着座している使用者の脚が椅子の前脚部に干渉しやすい。この場合、歩行困難な老人、障害者、病人等の使用者の排泄の支障となり易い。
【０００４】
本発明は上記した実情に鑑みてなされたものであり、歩行困難な老人、障害者、病人等の使用者の排泄を容易にするのに有利なポータブルトイレを提供することを課題とする。
【課題を解決するための手段】
【０００５】
（１）様相１に係るポータブルトイレは、使用者が着座する着座部と、使用者の排泄物を受ける排泄物容器と、着座部及び排泄物容器を有する基体とを具備するポータブルトイレにおいて、基体は、着座部に着座して排泄する使用者の前かがみ姿勢を支える前かがみ姿勢支持部を備えていることを特徴とするものである。
【０００６】
着座部に着座している使用者が前かがみ姿勢となったとき、前かがみ姿勢支持部は、使用者の前かがみ姿勢を支える。使用者は、排泄の際に、前かがみ姿勢で前かがみ姿勢支持部に寄りかかれば、前かがみ姿勢を長時間にわたり維持し易くなる。このため着座部に着座している使用者は、排泄の際に、良好にりきむことができ、排泄が容易となる。
【０００７】
（２）様相２に係るポータブルトイレは、使用者が着座する着座部と、使用者の排泄物を受ける排泄物容器と、着座部及び排泄物容器を有する基体とを具備するポータブルトイレにおいて、基体は、前記着座部に着座している使用者の腕部を支えるアームレスト部と、アームレスト部の前部に繋がる前支柱と、基体の前部側に設けられた前脚部と、基体の後部側に設けられた後脚部とを備えており、前脚部は、前支柱の延設方向に沿って配置されていることを特徴とするものである。
【０００８】
様相２によれば、前脚部の突出が抑制されるため、使用者の脚がポータブルトイレの前脚部に干渉することが抑えられる。更に様相２によれば、排泄物容器を保持すると共に前端部に引き出し操作部をもつスライド部材が基体に引き出し可能に設けられている形態を例示することができる。この場合、前脚部は、ポータブルトイレの前後方向においてスライド部材の前端部の引き出し操作部よりも後方に退避していることが好ましい。また様相２によれば、使用者の排泄を促進させるため、基体は、着座部に着座して排泄している使用者の前かがみ姿勢を支える前かがみ姿勢支持部を備えていることが好ましい。また、使用者の局部を洗浄する局部洗浄部と、排泄物容器を洗浄する排泄物容器洗浄部と、局部洗浄部及び排泄物容器洗浄部に給水する水タンクとが基体に設けられていることが好ましい。
【０００９】
（３）様相３に係るポータブルトイレは、使用者が着座する着座部と、使用者の排泄物を受ける排泄物容器と、着座部及び排泄物容器を有する基体とを具備するポータブルトイレにおいて、基体は、着座部に着座している使用者の腕部を支えるアームレスト部と、アームレスト部の前部に繋がると共に縦方向に沿って設けられた前支柱と、基体の前部側に設けられた前脚部と、基体の後部側に設けられた後脚部とを備えており、更に、排泄物容器を保持すると共に前端部に引き出し操作部をもつスライド部材が基体に引き出し可能に設けられており、前脚部は、ポータブルトイレの前後方向においてスライド部材の引き出し操作部よりも後方に退避していることを特徴とするものである。
【００１０】
様相３によれば、ポータブルトイレの前脚部は、ポータブルトイレの前後方向においてスライド部材の引き出し操作部よりも後方に退避している。これによりポータブルトイレの前脚部の前方への突出が抑制されるため、使用者の脚がポータブルトイレの前脚部に干渉することが抑えられる。更に様相３によれば、使用者の排泄を促進させるため、基体は、着座部に着座して排泄している使用者の前かがみ姿勢を支える前かがみ姿勢支持部を備えていることが好ましい。また、使用者の局部を洗浄する局部洗浄部と、排泄物容器を洗浄する排泄物容器洗浄部と、局部洗浄部及び排泄物容器洗浄部に給水する水タンクとが基体に設けられていることが好ましい。
【発明の効果】
【００１１】
様相１に係るポータブルトイレによれば、使用者は、排泄の際に、前かがみ姿勢で前かがみ姿勢支持部に寄りかかれば、前かがみ姿勢を長時間にわたり維持し易くなる。このため着座部に着座している使用者は、排泄の際に、良好にりきむことができ、排泄が容易となる。従って歩行困難な老人、障害者、病人等の使用者の排泄作業を容易にするのに有利である。更に、健常者が使用するのにも適する。
【００１２】
また様相２、３に係るポータブルトイレによれば、ポータブルトイレの前脚部の前方への突出が抑制される。従って、使用者が排泄のためにポータブルトイレに移乗したり、着座して排泄したり、あるいは、排泄後に離脱したりするとき等において、使用者の脚がポータブルトイレの前脚部に干渉することが抑えられる。従って歩行困難な老人、障害者、病人等の使用者の排泄作業を容易にするのに有利である。更に、健常者が使用するのにも適する。
【発明を実施するための最良の形態】
【００１３】
本発明に係るポータブルトイレは、使用者が着座する着座部と、使用者の排泄物を受ける排泄物容器と、着座部及び排泄物容器を有する基体とを備えており、基体は、着座部に着座して排泄している使用者の前かがみ姿勢を支える前かがみ姿勢支持部を備えている。着座部は使用者が着座するものであれば良い。好ましくは、前かがみ姿勢支持部は、着座部に着座している使用者が前かがみ姿勢となったときにおいて使用者の前かがみ姿勢を支える使用位置と、使用位置に対して退避している退避位置とに変更可能に設定されている。前かがみ姿勢支持部を退避位置にすれば、使用者が着座部に着座する作業、あるいは、着座している使用者が着座部から立ち上がる作業を良好に行うことができる。
【００１４】
好ましくは、基体は、着座部に着座している使用者の左腕部を支える第１アームレスト部と、着座部に着座している使用者の右腕部を支える第２アームレスト部とを備えている。この場合、前かがみ姿勢支持部は、第１アームレスト部の前部と第２アームレスト部の前部との間に架設可能とされていることが好ましい。好ましくは、前かがみ姿勢支持部は、第１アームレスト部及び第２アームレスト部のうちの少なくとも一方に揺動可能に枢支具により枢支されている。
【００１５】
前かがみ姿勢支持部としては、その長手方向に伸縮可能とされている形態を例示できる。不使用の際（退避位置）には、前かがみ姿勢支持部を収縮させておけば、スペースを節約できる。そして使用の際（使用位置）に、前かがみ姿勢支持部を伸長させれば、使用者の前かがみ姿勢を良好に維持できる。また、前かがみ姿勢支持部としては、基体に対して分離可能とされている形態を例示できる。不使用の際（不使用位置）には、前かがみ姿勢支持部をポータブルトイレの基体から分離させて別の場所に保管しておけば、ポータブルトイレのスペースを節約できる。
【００１６】
また、前かがみ姿勢支持部としては、第１アームレスト部に揺動可能に第１枢支具により枢支された第１分割部と、第２アームレスト部に揺動可能に第２枢支具により枢支された第２分割部とで形成されている形態を例示できる。この場合、使用位置では、第１分割部の端部及び第２分割部の端部は互いに重なるか、突き合わせ状態に維持される。このように第１分割部の端部及び第２分割部の端部は互いに重なるか、突き合わせ状態に維持されれば、着座部に着座している使用者の前かがみ姿勢を良好に維持することができる。また、前かがみ姿勢支持部は凹または凸からなる第１係合部を有し、基体は凸または凹からなる第２係合部を有する形態を例示できる。この場合、第１係合部及び第２係合部は互いに係合可能とされている。第１係合部及び第２係合部を係合させれば、前かがみ姿勢支持部を着脱可能に基体に取り付けることができる。第１係合部及び第２係合部の係合を解除すれば、前かがみ姿勢支持部を基体から分離させることができる。
【００１７】
水タンクが基体に、殊に基体の後部側に、固定的または着脱可能に設けられている形態を例示できる。また、水タンクと着座部との間に位置すると共に水タンクへの給水作業を保護する仕切部材が基体に設けられている形態を例示できる。更に、排泄物容器を洗浄する排泄物容器洗浄部を備えている形態を例示できる。排泄物容器洗浄部は、水を吐出させて排泄物容器の壁面に付着している汚れを清掃するためのものである。排泄物容器洗浄部については、ポータブルトイレに搭載されている水タンク等の給水源から給水しても良いし、あるいは、ポータブルトイレとは別体の給水源（例えば水道管）から直接に給水しても良い。
【００１８】
好ましくは、排泄物容器洗浄部に給水可能な水タンクと、水タンクの水を排泄物容器洗浄部に給水する第１給水手段とが、基体に設けられている。水タンクは基体に対して着脱可能な着脱式でも良いし、あるいは、基体に固定されている固定式でも良い。水タンクは、基体の後部側に設けられていても良いし、基体の底部側または側面側に設けられていても良い。第１給水手段は水タンクの水を排泄物容器洗浄部に給水するものであり、モータを有する電動ポンプ、あるいは、手動ポンプを例示できる。好ましくは、着座部に着座している使用者の局部を洗浄する局部洗浄部が基体に設けられている。この場合、水タンクの水を局部洗浄部に給水する第２給水手段が、基体に設けられていることが好ましい。
【００１９】
排泄物容器洗浄部に繋がる給水経路と、局部洗浄部に繋がる給水経路とは互いに独立している形態を例示できる。この場合、排泄物容器洗浄部に繋がる給水経路に第１給水手段が設けられている形態を採用できる。また、局部洗浄部に繋がる給水経路に第２給水手段が設けられている形態を採用できる。排泄物容器洗浄部に繋がる給水経路にはヒータが設けられておらず、局部洗浄部に繋がる給水経路にはヒータが設けられている形態を例示することができる。この場合、使用者の局部を洗浄する水を加熱して温水にできるため、使用者の局部を温水で洗浄でき、局部洗浄する際における不快感を無くし得る。また排泄物容器を洗浄する水を加熱しないため、熱エネルギーを節約することができる。場合によっては、排泄物容器洗浄部に繋がる給水経路にヒータが設けられていることにしても良い。この場合、排泄物容器を温水で洗浄することができる。
【実施例１】
【００２０】
以下、本発明の実施例１について図１〜図１１を参照して具体的に説明する。図１はポータブルトイレから排泄物容器、容器蓋、外バケツを外した状態を示す。図２は排泄物容器、容器蓋、外バケツを取り付けたポータブルトイレを後方から視認した状態を示す。図３は水タンク付近を示す。図４はスライダ部材の平面図を示す。図５は排泄物容器を収容する外バケツのフランジ部をスライダ部材に載せている状態を模式的に示す。図６は排泄物容器を収容する外バケツのフランジ部をスライダ部材に載せつつ、スライダ部材を前方にスライドさせた状態を模式的に示す。図７は排泄物容器、容器蓋、外バケツを取り付けたポータブルトイレを前方から視認した状態を示す。図８は着座部を上方に揺動させた状態のポータブルトイレを前方から視認した状態を示す。図９は着座部を上方に揺動させた状態で、スライド部材を前方にスライドさせた状態のポータブルトイレを前方から視認した状態を示す。図１０は着座部を上方に揺動させた状態で、スライド部材を前方にスライドさせ、更に容器蓋を排泄物容器から外す状態のポータブルトイレを前方から視認した状態を示す。図１１は着座部を上方に揺動させた状態で、スライド部材を前方にスライドさせ、更に排泄物容器を外バケツから外す状態のポータブルトイレを前方から視認した状態を示す。
【００２１】
本実施例に係るポータブルトイレは、図１に示すように、使用者の尻部が着座する着座部１を有する局部洗浄装置２と、排泄物を受ける排泄物容器３と、着座部１及び排泄物容器３を有する基体４とを備える。基体４は、木質の固定フレーム４０と、固定フレーム４０に前方（矢印Ｆ方向）に引き出し可能に設けられた木質のスライド部材７とを備える。ここで前方とは、着座部１に着座する使用者の顔が向く方向を意味する。後方とは、着座部１に着座する使用者の背中が向く方向を意味する。基体４の固定フレーム４０は、外バケツ５を収容可能な容器収容室４２と、床面側に配置された底板部４３と、基体４の前部側に縦方向に沿って設けられた前支柱として機能する前板部４４と、底板部４３よりも上側に設けられたシート部として機能する中板部４５と、使用者の肘掛けとして機能するアームレスト部４６と、基体４の後部４ｒ側において底板部４３から上方に向けて縦方向に延設された後支柱として機能する背板部４７と、背板部４７に架設され使用者の背中に対面する比較的厚肉のクッション性を有する背もたれ部４８と、着座部１の高さ位置を調整する機能を有する高さ調整機構４９とを有する。ここで、中板部４５は着座部１を揺動可能に枢支している。高さ調整機構４９は底板部４３に接続されており、基体４の前部に位置する前脚部として機能する前側の高さ調整機構４９ｆと、基体４の後部に位置する後脚部として機能する後側の高さ調整機構４９ｒとを備えている。アームレスト部４６は、着座部１に着座している使用者の左腕部を支える第１アームレスト部４６ｆと、着座部１に着座している使用者の右腕部を支える第２アームレスト部４６ｓとを備えている。なお、固定フレーム４０は後部側に、移動用の転動可能なキャスター４０ｗ（図２参照）を有する。固定フレーム４０の前側を持ち上げれば、キャスター４０ｗによりポータブルトイレを容易に移動させることができる。
【００２２】
局部洗浄装置２は、局部洗浄部２０を搭載する本体部２１と、本体部２１に上下方向に揺動可能に枢支された便座で形成された着座部１とを備える。局部洗浄部２０は、使用者の排泄後の局部（便局部）を洗浄する第１局部洗浄部２０ｆと、女性局部を洗浄するビデ用の第２局部洗浄部２０ｓとで形成されている。この局部洗浄部２０はノズル式とされており、基体４のうち着座部１の後部側に設けられており、着座部１に着座する使用者の局部に対面可能とされている。但し、第１局部洗浄部２０ｆ及びビデ用の第２局部洗浄部２０ｓとのうちのいずれか一方のみが装備されていることにしても良い。
【００２３】
図１に示すように、排泄物容器３は、上面に開口３０を有する排泄物収容室３１をもつ内バケツで形成されており、後部３ｒ側に凹部３５を有する。排泄物容器３は回動可能な取っ手３２を有する。排泄物容器３の開口３０を閉鎖する着脱可能な容器蓋３６が設けられている。容器蓋３６は、指先で摘む摘み部３７を有する。更に、外バケツ５は、上面に形成された開口５０を有すると共に排泄物容器３を収容可能な収容室５１と、上面の開口５０から外方に鍔状に延設されたフランジ部５２と、フランジ部５２の後部に設けられた凹部５５とを有する。凹部５５は排泄物容器３の凹部３５と対面する。凹部３５，５５は、主として、局部洗浄部２０（２０ｆ，２０ｓ）との衝突を避けるために凹んでいるものである。フランジ部５２の上面には、着座部１を載せて支持する載置面５３が形成されている。外バケツ５は基体４の固定フレーム４０の容器収容室４２内に着脱可能に収容される。排泄物容器３は外バケツ５の収容室５１内に着脱可能に収容される。
【００２４】
図２に示すように、排泄物容器３内に挿入されて排泄物容器３内を洗浄する棒状をなす排泄物容器洗浄部８が設けられている。排泄物容器洗浄部８は基体４に対して別体をなしており、所定距離持ち運び可能とされており、先端部に水を噴出するノズル部８ｋと、指先で掴むことが可能な把手部８ｈとを有する。ノズル部８ｋは、棒状の排泄物容器洗浄部８の軸芯ＰＡ方向に沿って水を吐出する。この場合、ノズル部８ｋから吐出される水の水圧は、設計の単純化を図るため一段でも良いし、あるいは、複数段に切替可能であっても良い。ノズル部８ｋから吐出される水としては、水の噴出の拡開角度が大きいシャワー噴出の形態でも良いし、あるいは、シャワー噴出でない形態でも良い。周囲への水の飛散を抑えるためには、水の噴出の拡開角度はあまり大きくない方が良いといえる。
【００２５】
排泄物容器洗浄部８は、水の噴出停止、水の噴出を切り替えるスイッチ部８０を有する。排泄物容器洗浄部８に給水可能な水タンク８４が基体４に設けられている。水タンク８４は基体４の後部４ｒ、つまり、着座部１に着座する使用者の背中側においてタンクホルダ部４ｘを介して設けられている。水タンク８４は後方を向いている。水タンク８４は、縦長の偏平容器状をなす四角タンク形状をなしており、上面８４ｕ、側面８４ｓ、後面８４ｒ、前面８４ｆとをもつ。水タンク８４は、厚み寸法ｔ１は幅寸法、高さ寸法に比較して小さいので、水タンク８４がポータブルトイレに搭載されていても、ポータブルトイレの設置スペースの増大は防止されている。水タンク８４は、水タンク８４の上部に設けられ水道水等の水を補給する補給口８５と、補給口８５を開閉する着脱可能な蓋部材８６とを有する。補給口８５は水タンク８４の上部に設けられているため、給水作業に有利である。補給口８５の高さ位置は、背もたれ部４８の上面４８ｕ、背板部４７の上端４７ｕよりも低く設定されている。このため介助者が水タンク８４の補給口８５に給水しているとき、背もたれ部４８は、着座部１に着座している使用者と、介助者による給水作業との分離性を高めることができ、水タンク８４の補給口８５への給水作業を良好にできる。また図２に示すように、背もたれ部４８が着座部１と水タンク８４との間に設けられているため、使用者の背中が水タンク８４に直接的に接触することが抑制される。図２に示すように、水タンク８４には水量を示すインジケータ８４ｗが設けられている。ワイヤ等の線状体で形成された支持部８７が水タンク８４の後面８４ｒに掛けられて水タンク８４の支持性が高められている。水タンク８４の側面８４ｓの下部には給水具８８が設けられている。なお、水タンク８４の側面８４ｓには、排泄物容器洗浄部８を引っかけて仮保持するホルダー８４ｘが設けられている。
【００２６】
図２に示すように、可撓性を有する給水管としての給水ホース８９の一端部８９ａは給水具８８に接続されており、給水ホース８９の他端部８９ｃは排泄物容器洗浄部８の基端部に接続されている。給水ホース８９は３次元的な可撓性を有すると共に、所定の長さを有する。従って、排泄物容器洗浄部８は給水ホース８９の長さに相当するぶん移動可能とされている。なお、排泄物容器３を基体４から外したときであっても、排泄物容器３が基体４の近傍に設置されていれば、給水ホース８９により排泄物容器洗浄部８は排泄物容器３に届くようになっている。
【００２７】
図３に模式的に示すように、水タンク８４は、上側に設けられ水を収容可能なタンク室８４ａと、タンク室８４ａの下側に設けられた制御室８４ｃとを有する。タンク室８４ａの水容量は、排泄物容器３の洗浄処理と使用者の局部洗浄処理とをそれぞれ所定回数実行できるように設定されている。図３に示すように、制御室８４ｃは、タンク室８４ａに互いに独立して繋がる第１給水経路９１及び第２給水経路９２と、第１給水経路９１に設けられ排泄物容器洗浄部８に給水可能な第１給水手段９３と、第２給水経路９２に設けられ局部洗浄部２０（２０ｆ、２０ｓ）に給水可能な第２給水手段９６と、コントローラ９９とを有する。コントローラ９９は、第１信号線９３ｓを介して第１給水手段９３を制御すると共に、第２信号線９６ｓを介して第２給水手段９６を制御する。第１給水手段９３は、給水機能を有する第１電動ポンプ９４と、第１電動ポンプ９４を駆動させる第１モータ９５とを備えている。第２給水手段９６は、給水機能を有する第２電動ポンプ９７と、第２電動ポンプ９７を駆動させる第２モータ９８とを備えている。コントローラ９９にはアダプタ９０を介して商用電源（ＡＣ１００ボルト）が接続される。
【００２８】
上記した第１給水手段９３の第１電動ポンプ９４及び第２給水手段９６の第２電動ポンプ９７は、互いに独立して駆動する。故に、第１電動ポンプ９４が故障等により停止したとしても、第２電動ポンプ９７は駆動可能である。第２電動ポンプ９７が故障等により停止したとしても、第１電動ポンプ９４は駆動可能である。上記したように本実施例によれば、第１給水手段９３の第１電動ポンプ９４及び第２給水手段９６の第２電動ポンプ９７とは互いに独立して駆動するように設定されている。このため排泄物容器洗浄部８に給水する水圧と、局部洗浄部２０（２０ｆ、２０ｓ）に給水する水圧とを同じとしても良いし、異なる値にとすることもでき、水圧設定の自由度を高めることができる。また、排泄物容器洗浄部８に給水する単位時間あたりの水量と、局部洗浄部２０（２０ｆ、２０ｓ）に給水する単位時間当たりの水量とを同じとしても良いし、異なる値とすることもでき、水量設定の自由度を高めることができる。換言すると、排泄物容器洗浄部８に給水する水圧Ｐ１と、局部洗浄部２０（２０ｆ、２０ｓ）に給水する水圧Ｐ２とを、排泄物容器３の洗浄に要請される洗浄力、局部洗浄に要請される洗浄力等に応じて個別に設定できる。なお、Ｐ１=Ｐ２またはＰ１≒Ｐ２でも良いし、Ｐ１＞Ｐ２でも良いし、Ｐ１＜Ｐ２でも良い。また排泄物容器洗浄部８に給水する単位時間当たりの水量Ｖ１と、局部洗浄部２０（２０ｆ、２０ｓ）に給水する単位時間当たりの水量Ｖ２とを、排泄物容器３の洗浄に要請される洗浄力、局部洗浄に要請される洗浄力等に応じて個別に設定できる。なお、Ｖ１=Ｖ２またはＶ１≒Ｖ２でも良いし、Ｖ１＞Ｖ２でも良いし、Ｖ１＜Ｖ２でも良い。なお、コストダウンを考慮すると、第１給水手段９３の第１電動ポンプ９４及び第２給水手段９６の第２電動ポンプ９７は、同種のものを採用できる。
【００２９】
タンク室８４ａには水位検知手段８４ｅが設けられている。水位検知手段８４ｅの水位信号は信号線８４ｆを介してコントローラ９９に入力される。水タンク８４内の水は局部洗浄部２０と排泄物容器洗浄部８の双方に共用される。なお、タンク室８４ａの水位が過剰に低減すると、コントローラ９９は第１給水手段９３及び第２給水手段９６を停止させ、表示ＬＥＤ等の報知手段によりその旨を報知する。第２給水経路９２は、水タンク８４のタンク室８４ａと局部洗浄部２０（２０ｆ、２０ｓ）とを繋ぐ給水通路であり、局部洗浄装置２に内蔵されている。第２給水経路９２の水を加熱する電気式のヒータ２５が局部洗浄装置２内に設けられている。本実施例によれば、局部洗浄部２０（２０ｆ、２０ｓ）に供給させる水をヒータ２５により加熱して温水にできるため、使用者の局部を温水により洗浄することができる。このため局部洗浄時における不快感を発生させない。これに対して、第１給水経路９１は排泄物容器洗浄部８に繋がるものであるが、第１給水経路９１の水は使用者の局部に直接触れるものではないため、水を加熱する要請は少なく、ヒータは設けられていない。従って、排泄物容器洗浄部８に供給される水の温度は基本的にはタンク室８４ａの水温である。このため電気エネルギの低減に貢献できる。
【００３０】
本実施例によれば、図４はスライド部材７の平面視を示す。図４に示すようにスライド部材７は枠状をなしており、前側に形成された引き出し操作部７０と、外バケツ５を収容する開口７２ｍを有する枠部７２とを備えている。スライド部材７の枠部７２の上面には、外バケツ５のフランジ部５２が載置可能される載置面７３が形成されている。従ってスライド部材７の枠部７２の上面の載置面７３に外バケツ５のフランジ部５２を載せ得るようにされている。図５は、スライド部材７の開口７２ｍに外バケツ５を嵌め込みつつ、スライド部材７の枠部７２の上面の載置面７３に外バケツ５のフランジ部５２を載せた状態の概念を示す。
【００３１】
本実施例によれば、使用者が着座部１に着座するときには、着座部１に着座している荷重は着座部１を介して外バケツ５のフランジ部５２に伝わる。ここで、スライド部材７は前後に分割した分割部品ではなく、単一部品である。このため外バケツ５のフランジ部５２の全体を単一部品であるスライド部材７の載置面５３に載せるため、荷重の支持性を高めることができる。スライド部材７の引き出し操作部７０は、基体４の固定フレーム４０に対して前方（矢印Ｆ方向）に引出し可能とされている。スライド部材７の引き出し操作部７０を前方（矢印Ｆ方向）に引き出せば、スライド部材７は基体４の固定フレーム４０から引き出し可能とされているため、スライド部材７に保持されている外バケツ５も前方（矢印Ｆ方向）に引き出され、また、外バケツ５に収容されている排泄物容器３も前方（矢印Ｆ方向）に引き出される。
【００３２】
ところで、局部洗浄機能を有しない従来のポータブルトイレによれば、局部洗浄装置２が基体４に設けられていない。このため従来のポータブルトイレによれば、排泄物容器３の後部３ｒと局部洗浄部２０との干渉が発生しないため、着座部１を上方に揺動させた状態で、排泄物容器３を基体４の固定フレーム４０に対してそのまま上方に持ち上げれば、排泄物容器３を固定フレーム４０から取り外すことができるものであった。
【００３３】
しかしながら、局部洗浄機能を有するタイプのポータブルトイレによれば、局部洗浄装置２が基体４に設けられており、ノズル式の局部洗浄部２０が排泄物容器３の排泄物収容室３１に臨むように配置されることが多い。更に、局部洗浄部２０から吐出される水を排泄物収容室３が受け止める必要があるため、排泄物収容室３の後部３ｒは局部洗浄部２０の先端部の水吹出口の後方に位置することになる。この場合、着座部１を上方に揺動させた状態で、排泄物容器３をそのまま上方に持ち上げれば、排泄物容器３の後部３ｒと局部洗浄装置２の局部洗浄部２０とが干渉する（図５参照）。そこで本実施例によれば、前方（矢印Ｆ方向）にスライド可能なスライド部材７の載置面７３に外バケツ５のフランジ部５２を載せると共に、その外バケツ５内に排泄物容器３を収容する方式が採用されている。そして排泄物容器３内の排泄物を廃棄するとき、図６に示すように、排泄物容器３を収容する外バケツ５のフランジ部５２を載せたスライド部材７の引き出し操作部７０を介助者等が前方（矢印Ｆ方向）に向けて少しスライド（ΔＳ）させる。このスライドに伴い、図６に示すように、外バケツ５の後部５ｒ、排泄物容器３の後部３ｒが前方（矢印Ｆ方向）に移動し、排泄物容器３の後部３ｒと局部洗浄装置２の局部洗浄部２０との干渉が回避される。更に、外バケツ５の後部５ｒと局部洗浄装置２の局部洗浄部２０との干渉が回避される。
【００３４】
上記のように干渉を回避した状態で、介助者等が排泄物容器３を上方（矢印Ｙ１方向）に持ち上げれば、排泄物容器３の後部３ｒと局部洗浄部２０とを干渉させることなく、排泄物容器３を持ち上げて外バケツ５から離脱させることができる。そして、離脱させた排泄物容器３内に溜まっている排泄物Ｗを廃棄することができ、排泄物容器３の清掃処理に便利である。また、上記のように干渉を回避した状態で、外バケツ５を上方（矢印Ｙ１方向）に持ち上げれば、局部洗浄部２０と外バケツ５の後部５ｒとを干渉させることなく、外バケツ５を持ち上げて基体４の容器収容室４２から離脱させることができる。従って、外バケツ５の清掃処理も便利である。
【００３５】
ところで、スライド部材７を前方に引き出す際に、スライド部材７に支持されている排泄物容器３や外バケツ５の全体が基体４の固定フレーム４０から完全に離脱するまで、スライド部材７を前方に移動させる方式も考えられる。しかしながらこの場合には、排泄物容器３を前方にスライドさせる距離が長い関係上、排泄物容器３の排泄物収容室３１内に貯留されている汚水の水面ＷＡがスライドに伴い過剰に揺動して、排泄物収容室３１内の汚水が排泄物容器３の周囲に飛散するおそれがあり、好ましくない。この点本実施例によれば、スライド部材７に支持されている排泄物容器３や外バケツ５の全体が基体４の固定フレーム４０から離脱するまでスライド部材７を前方に移動させずとも良い。即ち、前記したようにスライド部材７のスライド（スライド量ΔＳ）により、排泄物容器３の後部３ｒと局部洗浄装置２の局部洗浄部２０との干渉を回避でき、また、外バケツ５の後部５ｒと局部洗浄装置２の局部洗浄部２０との干渉を回避できる。上記のように干渉を回避した状態で、排泄物容器３を上方に持ち上げたり、外バケツ５を上方に持ち上げる方式が採用されている。このため排泄物容器３を載せたスライド部材７をスライドさせる距離 （ΔＳ）が少しで済み、スライド部材７に支持されている排泄物容器３の排泄物収容室３１内の汚水の水面ＷＡの過剰の揺動を抑えることができ、当該汚水の飛散を抑えることができる。
【００３６】
本実施例に係るポータブルトイレの一般的な清掃方法について説明を加える。まず、排泄物容器３の開口３０が露出している状態において、図７に示すように、棒状の排泄物容器洗浄部８を排泄物容器３の排泄物収容室３１に対面させるか挿入する。そして、排泄物容器洗浄部８のスイッチ８０を操作し、第１給水手段９３を駆動させる。これにより第１電動ポンプ９４により排泄物容器洗浄部８に給水し、排泄物容器洗浄部８のノズル部８ｋから水を吐出させる。このように排泄物容器洗浄部８のノズル部８ｋから吐出した水により、排泄物容器３内を洗浄することができ、排泄物容器３を衛生的にできる。また外バケツ５を清掃したいときには、外バケツ５を露出させる。この状態において、棒状の排泄物容器洗浄部８を外バケツ５の収容室５１に挿入し、排泄物容器洗浄部８から噴出した水により外バケツ５内を洗浄する。給水ホース８９は可撓性を有するため、排泄物容器洗浄部８の位置および向きを三次元的に任意に変えることができるため、排泄物容器３や外バケツ５の清掃に便利である。排泄物容器３に水を貯めておきたいときには、排泄物容器洗浄部８のノズル部８ｋから水を排泄物容器３内に吐出させれば良い。なお、排泄物容器洗浄部８のノズル部８ｋから吐出される水は、局部洗浄の場合とは異なり、ヒータ２５で加熱されていないため、一般的には常温水である。但し、場合によっては、排泄物容器洗浄部８のノズル部８ｋから吐出される水をヒータ２５で加熱して温水とする方式を採用しても良い。
【００３７】
更に説明を加える。図８に示すように、排泄物容器３に容器蓋３６が被着されているときには、排泄物容器３の容器蓋３６の後部３６ｒと局部洗浄装置２の局部洗浄部２０（２０ｆ，２０ｓ）とが干渉し、容器蓋３６を上方に持ち上げることができず、ひいては容器蓋３６を外すことができないおそれがある。そこで前述したように、図９に示すように、着座部１を上方に揺動させて退避位置にさせた状態で、容器蓋３６を被着した排泄物容器３をセットしているスライド部材７を前方（矢印Ｆ方向）に少しスライド（スライド量=ΔＳ）させれば、排泄物容器３の容器蓋３６の後部３６ｒと局部洗浄装置２の局部洗浄部２０（２０ｆ，２０ｓ）との干渉が直ちに回避される（図９参照）。このため図１０に示すように容器蓋３６を上方に持ち上げて排泄物容器３から外すことができる。そして、容器蓋３６を外した状態で、排泄物容器洗浄部８を排泄物容器３内に挿入し、排泄物容器洗浄部８から吐出した水により排泄物容器３を洗浄することができる。必要に応じて、図１１に示すように排泄物容器３を持ち上げて外バケツ５の収容室５１から取り外すこともできる。
【００３８】
本実施例によれば、図２に示すように、水タンク８４は基体４の後部４ｒの背もたれ部４８の後方に、つまり、着座部１に着座する使用者の背中側において設けられている。更に、背もたれ部４８の上面４８ｕの高さ位置は補給口８５の高さ位置よりも高く設定されている。このため、背もたれ部４８の後方においてやかん等の貯水容器または水道ホース等を用いて水タンク４の補給口８５へ介助者等が給水作業している作業中において、着座部１に着座している使用者が動いたとしても、使用者の身体がやかん等の貯水容器または水道ホース等に当たることが抑制され、水タンク８４の補給口８５への給水作業を損なうことが抑えられている。従って背もたれ部４８は、使用者に対する背もたれ機能と、仕切部材としての機能との双方を兼務する。
【００３９】
さて本実施例によれば、図１に示すように、着座部１に着座している使用者の腕部を支える前かがみ姿勢支持部１００が設けられている。前かがみ姿勢支持部１００は、第１アームレスト部４６ｆの前部と、第２アームレスト部４６ｓの前部との間に架設可能とされている。前かがみ姿勢支持部１００は、図１に示すように、使用位置ＷＡでは、着座部１に着座している使用者の前面に対面する。前かがみ姿勢支持部１００の長手方向の一端部１００ａは、第１アームレスト部４６ｆの前部に設けた枢支具１００ｂに枢支されている。これにより枢支具１００ｂを回動中心として前かがみ姿勢支持部１００の他端部１００ｃを上方向及び下方向に（矢印Ｕ１及びＵ２方向）に揺動可能としている。排泄時には、一般的に、使用者は前かがみの姿勢で長い時間、着座部１に着座することが多い。特に動作が制限される高齢者や障害者は便秘気味な者が多く、便秘気味の使用者は、着座部１に着座しつつ、長い時間、前かがみの姿勢となることが多い。このため、着座部１に着座している使用者の腕部を支える前かがみ姿勢支持部１００が基体４の前部４ｆ側に設けられている。前かがみ姿勢支持部１００は、着座部１に着座している使用者の腕部を支える使用位置ＷＡ（図１参照）と、着座部１に着座している使用者の腕部を支えない退避位置ＷＢ（図２参照）とに切替可能とされている。このため本実施例によれば、前かがみ姿勢支持部１００を使用位置ＷＡに切り替えれば、使用者は前かがみの姿勢で長い時間着座部１に着座するときであっても、使用者の前かがみの姿勢を前かがみ姿勢支持部１００により良好に維持できるため、便秘気味の高齢者、身体障害者の排泄に適する。使用者が前かがみの姿勢となると、ポータブルトイレの重心が前方に寄るが、水を貯留する水タンク８４が基体４の固定フレーム４０の後部側に設けられているため、基体４の安定性は確保される。
【００４０】
使用者がポータブルトイレの移乗するとき、または、着座している使用者がポータブルトイレから立ち上がるときには、前かがみ姿勢支持部１００が使用者の邪魔になる。このため介助者等により、前かがみ姿勢支持部１００は、着座部１に着座している使用者の腕部を支えない退避位置ＷＢ（図２参照）に切替られる。この場合、枢支具１００ｂを回動中心として、前かがみ姿勢支持部１００の他端部１００ｃを上方向（矢印Ｕ１方向）に最初揺動させ、その後、下方に回動させることにより、他端部１００ｃを約２７０度程度回動させると、前かがみ姿勢支持部１００は退避位置ＷＢとなる。図２に示すように、退避位置ＷＢでは、前かがみ姿勢支持部１００は重力により下方に垂下状態に吊持されており、他端部１００ｃは前かがみ姿勢支持部１００の下端となる。このように前かがみ姿勢支持部１００が退避位置ＷＢに設定されたときにも、前かがみ姿勢支持部１００は基体４に接続されているため、前かがみ姿勢支持部１００の紛失等の不具合が抑制される。また本実施例によれば、スライド部材７を前方（矢印Ｆ方向）に引き出すときにおいて、退避位置ＷＢの前かがみ姿勢支持部１００は、引き出されるスライド部材７の邪魔にならないように、スライド部材７に対面しないように設定されている。なお、前かがみ姿勢支持部１００の長手方向の他端部１００ｃを、第２アームレスト部４６ｓの前部に設けた枢支具に枢支しても良い。
【実施例２】
【００４１】
図１２は実施例２を示す。本実施例は実施例１と基本的には同様の構成であり、同様の作用効果を有する。以下、異なる部分を中心として説明する。本実施例においても、着座部１に着座している使用者の腕部を支える前かがみ姿勢支持部１００Ｂが設けられている。前かがみ姿勢支持部１００Ｂは、長手方向の嵌合量が調整可能とされた第１分割部１０１と第２分割部１０２とで形成されている。第１分割部１０１及び第２分割部１０２の長手方向（矢印Ｅ方向）の嵌合量を調整することにより、前かがみ姿勢支持部１００Ｂはその長手方向に伸縮可能な構造とされている。前かがみ姿勢支持部１００Ｂを使用位置に切り替えるときには、前かがみ姿勢支持部１００Ｂは長手方向に伸長され、第１アームレスト部４６ｆと第２アームレスト部４６ｓとの間に架設される。これに対して、前かがみ姿勢支持部１００Ｂを退避位置ＷＢに切り替えるときには、前かがみ姿勢支持部１００Ｂは長手方向に収縮される。この場合、前かがみ姿勢支持部１００Ｂは第１アームレスト部４６ｆと第２アームレスト部４６ｓとの間の間隔よりも短くなるため、邪魔になりにくい。従って、使用者がポータブルトイレの移乗するとき、または、着座している使用者がポータブルトイレから離れるときには、介助者等は前かがみ姿勢支持部１００Ｂを退避位置ＷＢに設定すると共に長手方向に収縮させると良い。また、前かがみ姿勢支持部１００Ｂの長さが短くなるため、前かがみ姿勢支持部１００Ｂの揺動半径を小さくできる。
【実施例３】
【００４２】
図１３は実施例３を示す。本実施例は実施例１と基本的には同様の構成であり、同様の作用効果を有する。以下、異なる部分を中心として説明する。本実施例においても、着座部１に着座している使用者の腕部を支える前かがみ姿勢支持部１００Ｃが設けられている。図１３に示すように、前かがみ姿勢支持部１００Ｃは、第１アームレスト部４６ｆの先端部に第１枢支具１００ｂにより揺動可能に設けられた第１分割部１０５と、第２アームレスト部４６ｓの先端部に第２枢支具１００ｈにより上下方向に揺動可能に設けられた第２分割部１０６とで形成されている。第１分割部１０５及び第２分割部１０６は互いに独立して回動できる。
【００４３】
図１３に示すように、使用位置ＷＡに切り替えるときには、介助者等が第１枢支具１００ｂを中心として第１分割部１０５を上方に回動させると共に、第２枢支具１００ｈを中心として第２分割部１０６を上方に回動させ、これにより第１分割部１０５の端部１０５ｘと第２分割部１０６の端部１０６ｘとを互いに重ねつつ、突き合わせ状態とする。使用位置ＷＡでは、前かがみ姿勢支持部１００Ｃに使用者は寄りかかることができるため、使用者は、排泄に適する前かがみ姿勢をとり易くなる。使用者がポータブルトイレの移乗するとき、または、着座している使用者がポータブルトイレから離れるときには、前かがみ姿勢支持部１００Ｃが使用者の邪魔になるため、介助者等により退避位置に切り替える。この場合、特に図示はしないものの、介助者等が枢支具１００ｂを中心として第１分割部１０５を下方（退避方向）に回動させると共に、第２枢支具１００ｈを中心として第２分割部１０６を下方（退避方向）に回動させる。これにより第１分割部１０５を第１アームレスト部４６ｆに吊持させるとともに、第２分割部１０６を第２アームレスト部４６ｓに吊持させる。
【実施例４】
【００４４】
図１４は実施例４を示す。本実施例は実施例１と基本的には同様の構成であり、同様の作用効果を有する。以下、異なる部分を中心として説明する。本実施例においても、着座部１に着座している使用者の腕部を支える前かがみ姿勢支持部１００Ｄが設けられている。前かがみ姿勢支持部１００Ｄは、第１アームレスト部４６ｆの前部と、第２アームレスト部４６ｓの前部との間に架設可能とされている。前かがみ姿勢支持部１００Ｄの長手方向の両端部には、孔状をなす第１係合部１１０が形成されている。第１アームレスト部４６ｆの前部には突起状の第２係合部４６０が上向きに形成されている。また、第２アームレスト部４６ｓの前部には突起状の第２係合部４６０が上向きに形成されている。着座部１に着座している使用者の腕部を支える使用位置ＷＡにおいては、図１４に示すように、前かがみ姿勢支持部１００Ｄの孔状をなす第１係合部１１０は、第１アームレスト部４６ｆ、第２アームレスト部４６ｓの突起状の第２係合部４６０が嵌って係合する。このため本実施例によれば、前かがみ姿勢支持部１００Ｄを使用位置ＷＡに切り替えれば、使用者は前かがみの姿勢で長い時間、着座部１に着座するときであっても、使用者の前かがみの姿勢を前かがみ姿勢支持部１００Ｄにより良好に維持できるため、便秘気味の高齢者、身体障害者の排泄に適する。
【００４５】
また、使用者がポータブルトイレの移乗するとき、または、着座している使用者がポータブルトイレから離れるときには、前かがみ姿勢支持部１００Ｄが使用者の邪魔になるため、介助者等により、前かがみ姿勢支持部１００Ｄは、着座部１に着座している使用者の腕部を支えない退避位置に切替られる。即ち、前かがみ姿勢支持部１００Ｄの孔状をなす第１係合部１１０と突起状の第２係合部４６０とを離脱させ、前かがみ姿勢支持部１００Ｃを着脱可能に基体４から分離させる。なお、前かがみ姿勢支持部１００Ｃの第１係合部を孔状ではなく突起状としても良い。アームレスト部４６ｆ,４６ｓの第２係合部４６０を突起状ではなく孔状としても良い。
【実施例５】
【００４６】
図１５は実施例５を示す。本実施例は実施例１と基本的には同様の構成であり、同様の作用効果を有する。本実施例においても、図１５に示すように、基体４の固定フレーム４０は、床面側に配置された底板部４３と、基体４の前部側に縦方向に沿って設けられた前支柱として機能する前板部４４と、底板部４３よりも上側に設けられた中板部４５と、使用者の肘掛けとして機能するアームレスト部４６と、基体４の後部４ｒ側において底板部４３から上方に向けて縦方向に延設された後支柱として機能する背板部４７と、背板部４７に架設され使用者の背中に対面する比較的厚肉のクッション性を有する背もたれ部４８と、着座部１の高さ位置を調整する機能を有する高さ調整機構４９とを有する。
【００４７】
ここで図１５に示すように、前板部４４の上部４４ｕは、アームレスト部４６の前部４６ｘに接続されている。中板部４５は着座部１を揺動可能に枢支している。高さ調整機構４９は底板部４３に接続されており、基体４の前部に位置する前脚部として機能する前側の高さ調整機構４９ｆと、基体４の後部に位置する後脚部として機能する後側の高さ調整機構４９ｒとを備えている。
【００４８】
図１５に示すように、前脚部として機能する前側の高さ調整機構４９ｆは、ポータブルトイレの前後方向（矢印ＦＲ方向）において、前支柱として機能する前板部４４と同じ位置に設定されている。換言すると、高さ調整機構４９ｆは前板部４４の下方において前板部４４の延設方向に沿って配置されており、つまり、前板部４４の下方において前板部４４の中心線ＫＡの延長線状またはほぼ延長線状に設定されている。
【００４９】
このような本実施例によれば、前側の高さ調整機構４９ｆ（前脚部）は前方へ突出することが抑えられており、ポータブルトイレの前後方向（矢印ＦＲ方向）においてスライド部材７の前端部に設けられている引き出し操作部７０よりも後方（矢印Ｒ方向）に退避している。このように基体４の前脚部として機能する高さ調整機構４９ｆは後方に退避しているため、使用者が排泄のためにポータブルトイレに移乗したり、着座して排泄したり、あるいは、排泄後に離脱したりするとき等において、ポータブルトイレの高さ調整機構４９ｆに使用者の脚等が干渉することが抑えられる。従って歩行困難な老人、障害者、病人等の使用者の排泄作業を容易にするのに有利である。
【００５０】
なお本実施例においては、実施例１と同様に、着座部１に着座している使用者の腕部を支える前かがみ姿勢支持部１００が設けられている。前かがみ姿勢支持部１００は、前かがみ姿勢支持部１００は、図１５に示すように、使用位置ＷＡでは、着座部１に着座している使用者の前面に対面する。前かがみ姿勢支持部１００の長手方向の一端部１００ａは、第１アームレスト部４６ｆの前部に設けた枢支具１００ｂに枢支されている。これにより枢支具１００ｂを回動中心として前かがみ姿勢支持部１００の他端部１００ｃを上方向及び下方向に（矢印Ｕ１及びＵ２方向）に揺動可能としている。更に本実施例によれば、排泄物容器洗浄部、排泄物容器洗浄部に繋がる給水ホース８９、水タンクが設けられている。但し、場合によっては、前かがみ姿勢支持部１００、排泄物容器洗浄部、給水ホース８９、水タンク等を廃止することもできる。
【００５１】
（その他）本発明は上記し且つ図面に示した実施形態および実施例のみに限定されるものではなく、要旨を逸脱しない範囲内で適宜変更して実施できるものである。
【産業上の利用可能性】
【００５２】
本発明は高齢者、障害者、負傷者、健常者等が使用するポータブルトイレに利用することができる。
【図面の簡単な説明】
【００５３】
【図１】ポータブルトイレから排泄物容器、容器蓋、外バケツを外した状態を示す斜視図である。
【図２】排泄物容器、容器蓋、外バケツを取り付けたポータブルトイレを後方から視認した斜視図である。
【図３】水タンク付近を示す構成図である。
【図４】スライダ部材の平面図である。
【図５】排泄物容器を収容する外バケツのフランジ部をスライダ部材に載せている状態を模式的に示す断面図である。
【図６】排泄物容器を収容する外バケツのフランジ部をスライダ部材に載せつつ、スライダ部材を前方にスライドさせた状態を模式的に示す断面図である。
【図７】排泄物容器、容器蓋、外バケツを取り付けたポータブルトイレを前方から視認した斜視図である。
【図８】着座部を上方に揺動させた状態のポータブルトイレを前方から視認した斜視図である。
【図９】着座部を上方に揺動させた状態で、スライド部材を前方にスライドさせた状態のポータブルトイレを前方から視認した斜視図である。
【図１０】着座部を上方に揺動させた状態で、スライド部材を前方にスライドさせ、更に容器蓋を排泄物容器から外す状態のポータブルトイレを前方から視認した斜視図である。
【図１１】着座部を上方に揺動させた状態で、スライド部材を前方にスライドさせ、更に排泄物容器を外バケツから外す状態のポータブルトイレを前方から視認した斜視図である。
【図１２】実施例２にかかり、ポータブルトイレを後方から視認した斜視図である。
【図１３】実施例３にかかり、ポータブルトイレを前方から視認した斜視図である。
【図１４】実施例４にかかり、ポータブルトイレを前方から視認した斜視図である。
【図１５】実施例５にかかり、ポータブルトイレを前方から視認した斜視図である。
【符号の説明】
【００５４】
図中、１は着座部、２は局部洗浄装置、２０は局部洗浄部、２１は本体部、３は排泄物容器、３１は排泄物収容室、３６は容器蓋、４は基体、４０は固定フレーム、４４は前板部（前支柱）、４５は中板部、４８は背もたれ部（仕切部材）、４９ｆは高さ調整機構（前脚部）、４９ｒは高さ調整機構（後脚部）、５は外バケツ、５２はフランジ部、８は排泄物容器洗浄部、８０はスイッチ、８４は水タンク、８９は給水ホース、９３は第１給水手段、９６は第２給水手段、１００は前かがみ姿勢支持部を示す。
【図１】
2006122662.tif 000003
【図２】
2006122662.tif 000004
【図３】
2006122662.tif 000005
【図４】
2006122662.tif 000006
【図５】
2006122662.tif 000007
【図６】
2006122662.tif 000008
【図７】
2006122662.tif 000009
【図８】
2006122662.tif 000010
【図９】
2006122662.tif 000011
【図１０】
2006122662.tif 000012
【図１１】
2006122662.tif 000013
【図１２】
2006122662.tif 000014
【図１３】
2006122662.tif 000015
【図１４】
2006122662.tif 000016
【図１５】
2006122662.tif 000017